(57)【要約】【課題】適切に生体の情報であるか否かを判別することを課題とする。【解決手段】被写体情報を検出するセンサーと、複数の撮像条件を供給する条件供給手段と、前記センサーで前記複数の撮像条件で検出することにより得られた複数の被写体情報の変化に基づいて検出した前記被写体情報が生体の情報であるか否か判別する判別手段と、を有し、前記複数の被写体情報の変化は、前記複数の撮像条件の供給に基づいて生じることを特徴とする認証装置を提供する。【選択図】      図１
2004280383.tif 000002
【特許請求の範囲】
【請求項１】
被写体情報を検出するセンサーと、
複数の撮像条件を供給する条件供給手段と
前記センサーで前記複数の撮像条件で検出することにより得られた複数の被写体情報の変化に基づいて検出した前記被写体情報が生体の情報であるか否か判別する判別手段と、
を有し、
前記複数の被写体情報の変化は、前記複数の撮像条件の供給に基づいて生じることを特徴とする認証装置。
【請求項２】
前記センサーは複数の光電変換部を有することを特徴とする請求項１に記載の認証装置。
【請求項３】
前記複数の条件は、被写体が２次元的な場合と３次元的な場合で前記複数の被写体情報の変化が異なるようになる条件であることを特徴とする請求項１または請求項２に記載の認証装置。
【請求項４】
前記２次元的な被写体は、前記３次元的な被写体を２次元的に写したものであることを特徴とする請求項３に記載の認証装置。
【請求項５】
前記複数の条件は、前記センサーで前記被写体情報を検出する際の露光量を調整することにより変化させることを特徴とする請求項１乃至４のいずれかに記載の認証装置。
【請求項６】
前記条件供給手段は、被写体の周辺部から前記被写体に光を照射する照射手段と、
前記センサーで前記被写体情報を検出する際の露光量を調整するために前記照射手段を制御する露光制御手段と
を有することを特徴とする請求項５に記載の認証装置。
【請求項７】
前記判別手段は前記複数の被写体情報の変化量を算出し、算出された前記変化量を所定の閾値と比較することにより所望の被写体であるか否かの判別をすることを特徴とする請求項１乃至６のいずれかに記載の認証装置。
【請求項８】
前記被写体情報は個人の特徴を表す生体情報であることを特徴とする請求項１乃至７のいずれかに記載の認証装置。
【請求項９】
前記生体情報は指紋情報であることを特徴とする請求項８に記載の認証装置。
【請求項１０】
前記複数の被写体情報は、第１の露光量で前記センサー内の第１の領域で撮像した第１の被写体画像と、前記第１の被写体画像を撮像するタイミングと異なるタイミングで第２の露光量で前記センサー内の前記第１の領域で撮像した第２の被写体画像とを含むことを特徴とする請求項１乃至９のいずれかに記載の認証装置。
【請求項１１】
前記複数の被写体情報は、第１の露光量で前記センサー内の第１の領域で撮像した第１の被写体画像と第２の露光量で前記センサー内の前記第１の領域と異なる第２の領域で撮像した第２の被写体画像を含むことを特徴とする請求項１乃至９のいずれかに記載の認証装置。
【請求項１２】
あらかじめ登録されている生体情報が記憶された記憶手段と、
前記判別手段により生体の情報であると判別された場合に前記記憶手段に記憶された生体情報と前記センサーで検出した被写体情報とを照合する照合手段と、を有することを特徴とする請求項１乃至１１のいずれかに記載の認証装置。
【請求項１３】
被写体情報を検出するセンサーで、複数の撮像条件で検出することにより得られた複数の被写体情報の変化に基づいて検出した前記被写体情報が生体の情報であるか否か判別する認証方法であって、
前記複数の被写体情報の変化は、前記複数の撮像条件の供給に基づいて生じることを特徴とする認証方法。
【請求項１４】
被写体情報を検出するセンサーで、複数の撮像条件で検出することにより得られた複数の被写体情報の変化に基づいて検出した前記被写体情報が生体の情報であるか否か判別する手順を有するコンピュ−タ読み取り可能な記憶媒体であって、
前記複数の被写体情報の変化は、前記複数の撮像条件の供給に基づいて生じることを特徴とするコンピュ−タ読み取り可能な記憶媒体。
【請求項１５】
被写体情報を検出するセンサーで、複数の撮像条件で検出することにより得られた複数の被写体情報の変化に基づいて検出した前記被写体情報が生体の情報であるか否か判別する手順を有するコンピュ−タ読み取り可能なプログラムであって、
前記複数の被写体情報の変化は、前記複数の撮像条件の供給に基づいて生じることを特徴とするコンピュ−タ読み取り可能なプログラム。
【発明の詳細な説明】
【０００１】
【発明の属する技術分野】
本発明は認証装置、認証方法、及びコンピュ−タ読み取り可能な記憶媒体、プログラムに関わり、特に認証する被写体が生体のものであるか否かを判別するための技術に関する。
【０００２】
【従来の技術】
従来より、検出している被写体情報が生体の情報であるか、それ以外の情報であるかを判別しなければならない用途があった。
【０００３】
例えば、導電率、温度、声紋、モーションなど複数の生体情報をもとに生体と偽生体を判別する方法がある（例えば、特許文献１参照）
また、指紋認証装置において、センサーの生体との接触面に抵抗値を測定する手段を設けることで、生体と紙やゴムなど高抵抗素材とを識別し、不正を防ぐ方法が知られている。
【０００４】
また、例えば、火災や風水害や地震などの災害に対して迅速且つ的確な対応をとるために災害発生場所などの危険区域へ進入する進入物体の有無の発見方法に関する出願が多数されている。その中の一つに、予め撮像された監視対象区域の基準画像データと災害発生時にカメラから得られる前記監視対象区域の現画像データとを比較し、その比較結果に基づいて前記監視対象区域内への進入物体の大きさ、移動速度および移動方向を検出し、この進入物体が人物であるか否かを判定する判定手段と、人物であると判定された場合に人物の位置と前記監視対象区域内の災害発生場所との位置関係に従って進入禁止領域への進入の有無を検出する検出手段を備えたことを特徴とする避難誘導支援装置がある（例えば、特許文献２参照）。
【０００５】
【特許文献１】
特開２００２−２３６６６６号公報
【特許文献２】
特開平７−２９６０６８号公報
【０００６】
【発明が解決しようとする課題】
本発明では検出している被写体情報が生体の情報であるか、それ以外の情報であるのかを判別する新たな方式を提供するものである。
【０００７】
【課題を解決するための手段】
上記課題を解決するための一手段として、被写体情報を検出するセンサーと、複数の撮像条件を供給する条件供給手段と、前記センサーで前記複数の撮像条件で検出することにより得られた複数の被写体情報の変化に基づいて検出した前記被写体情報が生体の情報であるか否か判別する判別手段と、を有し、前記複数の被写体情報の変化は、前記複数の撮像条件の供給に基づいて生じることを特徴とする認証装置を提供する。
【０００８】
【発明の実施の形態】
本実施の形態の認証装置は、被写体情報を検出するセンサーと、複数の条件を供給する条件供給手段である条件供給回路と、
そのセンサーで上記の複数の条件で検出することにより得られた複数の被写体情報の変化に基づいて検出したその被写体情報が生体の情報であるか否か判別する判別手段である判別回路とを有する。そして、上記で記載している複数の被写体情報の変化は、条件供給回路による複数の条件の供給に基づいて生じるものである。
【０００９】
ここで、上記のセンサーは、例えば、光を電気信号に変換する機能を持つもの等、被写体情報を検出できるものであれば良い。
【００１０】
また、複数の条件は、検出した複数の被写体情報が、生体の情報である場合とそれ以外の情報である場合とで、変化の仕方が異なるものであれば良い。
【００１１】
より限定的な複数の条件として、検出する生体の情報が３次元的なものであり、それ以外の情報が２次元的なものである場合に、被写体の情報が３次元的なものであることと、２次元的であることの性質を利用して、被写体が２次元的な場合と３次元的な場合で複数の被写体情報の変化が異なるようになる条件であるとさらに良い。さらに、より限定的な複数の条件として、それ以外のものが、２次元的なものであり、かつ、３次元的な生体を、例えば複写機等で紙等に２次元的に写したものである場合に、その３次元的な生体の被写体情報と、その生体を２次元に写した被写体情報との変化の仕方が異なるようになるものであるとさらに良い。以下で説明する実施の形態１、２では、一例として、複数の条件として、露光量を変化させる構成を記載している。
【００１２】
次に、判別回路は生体情報の場合の変化の仕方と、それ以外の情報の変化の仕方の違いを判別できるものであれば良い。
【００１３】
以下の実施の形態１，２では、上記で説明した構成を、一例として生体指紋認証に適用した場合について説明する。
【００１４】
（実施の形態１）
図１は本発明の実施の形態の一つである生体指紋認証装置１０の構成ブロック図である。生体指紋照合装置１０は、ユーザーとのインターフェースの役割を持つ表示部１１、ＣＣＤやＣＭＯＳセンサーといった複数の光電変換部を有する撮像素子を具えた指紋入力部１２、露光を制御する露光制御部１３、撮像した指紋画像を保存する画像メモリ１４、撮像した複数の指紋画像から指紋領域の形状又は大きさの変化を抽出する画像処理部１５、抽出された指紋領域の変化量と内部設定閾値を比較して生体指を識別する比較判定部１６、指紋照合部１７、登録指紋データベース１８からなっている。
【００１５】
図２には、指紋入力部１２の概略構成図を示した。基板上には撮像素子２１が配置され、撮像素子２１の表面には、指との接触で撮像素子２１がダメージを受けることがないように保護材２２が設けられており、また、撮像素子２１の周辺には指に向かって光を照射するための照射手段であるＬＥＤ２３が配置されている。露光制御部１３はこの照射用ＬＥＤ２３の点灯時間を制御して撮像の際の露光を調整するようになされている。
【００１６】
生体指紋認証装置１０においては、図３に示すように、周囲から指に向かって照射された光が一旦指内部に浸透し、内部拡散光として指腹部から照射される光を撮像素子２１が受光して指紋が撮像される。このとき、保護材と直に接する指紋の隆線部は指内拡散光がそのまま撮像素子に入射するのに対し、指紋の谷線部は保護材との間の空気層で光が拡散減衰するため、指紋パターンに応じた濃淡画像が得られるようになされている。
【００１７】
図４に、生体指紋認証装置１０を用いて、ある露光条件１にて生体指を撮像した場合の指紋画像１と、上部に指紋画像１のある行の短手方向の映像信号出力変化を表すグラフと、左側に指紋画像１のある列長手方向の映像信号出力変化を表すグラフと、下部に指紋画像１の実質の指紋画像が撮像されている領域を表す図が、合わせて示されている。図４を見ると、指内拡散光を利用する指紋入力法の場合、光の浸入距離の長い指中心は光の減衰が大きく画像が暗くなり、照明用ＬＥＤに近く光の浸入距離の短い指周辺部は明く撮像されることが判る。尚、この内部拡散光の減衰の違いによる露光ムラを、以後、指シェーディングと呼ぶこととする。広範囲の指紋画像を撮像した場合には図４に示した指紋画像１のように指中心部の露光が不足するが、指紋中心部の露光を適切にした場合には図５に示した指紋画像２のように照明用ＬＥＤに近い指紋周辺部が飽和する指紋画像が撮像される。
【００１８】
一方、紙面上に印刷した偽の指紋パターンを生体指紋認証装置１０で撮像した場合には、図６に示すように、指シェーディングのないフラットな指紋画像が撮像される。これは紙面を透過する光が面内の位置に関係なく、減衰せずに撮像素子２１に到達するためである。そのため、紙面上に印刷した偽の指紋パターンの場合は露光をかえて撮像しても、指紋画像全体の明るさは変化するが指紋が撮像されている領域の大きさには変化は生じない。
【００１９】
このように生体指紋と偽指紋では、露光条件を変化させて指紋を撮像した場合に指紋領域の大きさの変化量に差が生じるので、生体指を識別することが可能である。生体指紋認証装置１０においては、画像処理部１５にて露光条件の異なる指紋画像からそれぞれ指紋領域の大きさを抽出する処理が行われ、比較判定部１６において指紋領域の大きさの変化を比較して、変化がある閾値以上である場合には生体指と判断し、閾値以下であった場合には偽指紋であると判定するようになされている。
【００２０】
図７に、実施の形態１において、生体指紋認証装置１０を用いて本人照合を行う場合のフローチャートを示した。
【００２１】
まずステップ１において、生体指紋認証装置１０は表示部１１を介してユーザーに対し指紋の入力を要求する。次に、ユーザーが指紋入力部１２に指を置いたことを検知して、露光制御部１３を露光条件１に設定して指紋入力部１２を駆動し、指紋画像１を撮像する（ステップ２、３）。撮像した指紋画像１は画像メモリ１４に保存する（ステップ４）。ステップ５では、露光制御部１３において撮像された指紋画像１の露光が適切であったかが判断される。もし露光が不適切であった場合にはステップ３に戻り、露光条件を変更して再度撮像を行い、露光が適当であった場合にはステップ６に移動するようになされている。
【００２２】
続いて、ステップ６では生体指紋照合装置１０は露光制御部１３を露光条件２に設定して指紋画像２を撮像する。撮像した指紋画像２は同様に画像メモリ１４に保存する（ステップ７）。前記のステップ２〜７は短時間で終了するようになされているため、撮像される指紋画像１、２は、指紋の位置は変化せず、明るさのみ異なるものになる。
【００２３】
ステップ８では、画像処理部１７において、画像メモリ１４の保存されている指紋画像１および指紋画像２から指紋領域の大きさの情報が抽出される。
【００２４】
ステップ９では、指紋画像１から抽出された指紋領域の大きさ情報１と指紋画像２から抽出された指紋領域の大きさ情報２とを比較し、両者の変化量Ｓを算出する。さらに、変化量Ｓと内部に設定されたある閾値Ｎを比較し、変化量Ｓが閾値Ｎを超えている場合は生体指であると判定し、ステップ１０の指紋照合に移るが、閾値Ｎを超えていない場合は偽指紋と判断しステップ１１に移行しユーザーに対して認証の失敗を通知する。
【００２５】
このステップ８，９をさらに具体的な例を示して説明する。
【００２６】
ステップ８では、画像処理１７において、画像メモリ１４の保存されている指紋画像１および指紋画像２を図１０のように分割し、分割した各領域内に画像信号（指紋画像）があるか否かを判断し、分割した各領域内において画像信号がある領域だけを抽出する。
【００２７】
具体的には、画像信号のある部分は、白の領域と黒い領域とがほぼ均等にあり、飽和した画像信号のない部分は、ほぼ白い領域であるため、白の領域の割合と黒の領域の割合とをみることにより、画像信号のある部分と画像信号のない部分との違いの判定が可能になる。
【００２８】
ステップ９では、指紋画像１および指紋画像２から各々抽出された画像信号がある領域の数を算出して、両者（指紋画像１の画像信号のある領域の数Ｓ１と、指紋画像２の画像信号のある領域の数Ｓ２）の差分を算出することにより、変化量Ｓ（Ｓ１−Ｓ２）を算出する。さらに、変化量Ｓと内部に生体であるか否かを判断するために設定されたある閾値Ｎとを比較し、変化量Ｓが閾値Ｎを超えている場合は生体指であると判定し、ステップ１０の指紋照合に移るが、閾値Ｎを超えていない場合は偽指紋と判断しステップ１１に移行しユーザーに対して認証の失敗を通知する。
【００２９】
上記では、指紋画像の大きさの変化を検出する構成を説明したが、例えば、照明用ＬＥＤの配置を変え、照射する位置を変更することにより、生体指の指紋の場合と偽指紋の場合とで、指紋画像の大きさは変化しないが、指紋画像の形状が変化するようにしても良い。その場合も、上記と同様に、画像メモリ１４の保存されている指紋画像１および指紋画像２を図１０のように分割し、分割した各領域内に画像信号（指紋画像）があるか否かを判断し、分割した各領域内において画像信号がある領域だけを抽出する。
【００３０】
そして、指紋画像１と指紋画像２とを比較し、両者の画像信号のある領域の重複しない数を検出し、その数が閾値を超えている場合は、生体指と判定し、その数が閾値を超えていない場合は、偽指紋と判定する。
【００３１】
ステップ１０では、指紋照合部１７は入力された指紋画像１あるいは指紋画像２の一方と、指紋画像データベース１８に既に登録されている指紋画像とで照合を行う。照合の結果、指紋が一致しないと判断された場合にはステップ１１に移行しユーザーに対して認証エラーであることを通知する。一方、指紋が一致したと判断された場合には、開錠、システム利用許可、電子承認、などのアクションが行われるようになされている（ステップ１２）。
【００３２】
なお、説明に用いた指紋画像２は指紋画像１よりも露光量が多いものとしたが、その逆であっても指紋領域の大きさに変化が生じる程度の露光量の変化があれば生体指の識別は可能であり、本質においてなんら変わりはない。
【００３３】
このように、指紋照合を行う際に、露光量を変化させて撮像した指紋画像の指紋領域の大きさの変化から生体指を識別することができる。よって生体であるか否かの判別のために抵抗測定装置や温度センサーを新たに取り付ける必要がなく、装置の小型化を実現することができる。また、指紋画像１と指紋画像２のいずれかを用いて指紋照合を行うことが可能であるため、生体指であるか否かを識別した後に、さらに、照合のための撮像をする必要がなくなり、認証時間の短縮を実現することができる。
【００３４】
（実施の形態２）
本実施の形態２に示す生体指紋認証装置は実施の形態１と同一の構成ブロックを備え、指紋入力部１２の構成および指紋撮像原理も同一である。しかし、本実施の形態２においては、露光制御部１３は１フレーム内での露光制御が可能となっており、同一フレーム内で露光条件を変えて撮像した部分指紋画像の指紋領域の大きさの変化を利用して、生体指を識別する事を特徴としている。
【００３５】
実施の形態１で既に説明したように、生体指紋認証装置１０においては、生体指紋と偽指紋とでは露光条件を変化させて指紋を撮像した場合に、指紋領域の大きさの変化の具合に差が生じるため、生体指の識別が可能である。このとき実施の形態１においては、露光条件を変えて撮像した複数のフレーム画像を用いていた。
【００３６】
一方、本実施の形態２で説明する生体指紋認証装置１０の場合、露光制御部１３は同一フレーム内で露光を変えることができるようになっているため、指紋領域の大きさの変化を抽出するために複数のフレーム画像を取得する必要がなく、指紋撮像から認証までの時間を短縮することが可能である。
【００３７】
図８に本実施の形態２の生体指紋認証装置１０で生体指を撮像した時の指紋画像を示す。ここで、撮像素子２１は画面左上から短手方向に走査し、右端に達したら次行の左端に走査行が移るようになっており、ｘ行目からは露光量が増加している。なお、露光量は照明用ＬＥＤ２３の点灯量で変化させても良いし、電子シャッターを備えた撮像素子であれば、電子シャッターの蓄積時間で変化させても良い。図８を見ると、本実施の形態２の生体指紋認証装置１０を用いて生体指を撮像した場合には、露光量の変化点で指紋領域に不連続点が生ずることが判る。一方、同様の露光方法で偽指紋を撮像した場合には、露光変化点で指紋画像の明るさは変化するが、指紋領域の形状は連続的な変化を維持する。本実施の形態２で示す生体指紋認証装置１０は、この違いを利用して生体指を識別するものである。
【００３８】
図９に本実施の形態２で示す生体指紋認証装置１０を用いて本人照合を行う場合のフローチャートを示した。
【００３９】
まずステップ１において、生体指紋認証装置１０は表示部１１を介してユーザーに対し指紋の入力を要求する。次に、ステップ２において、ユーザーが指紋入力部１２に指を置いたことが検知されると、まず露光制御部１３は露光条件１に設定してｘ行目まで走査し、続いてｘ行目からは露光条件２に設定して、全体の指紋画像３を撮像する（ステップ２、３）。撮像した指紋画像３は画像メモリ１４に保存する（ステップ４）。ステップ５では、露光制御部１３において撮像された指紋画像３の露光が適切であったかが判断される。もし露光が不適切であった場合にはステップ３に戻り、露光条件を変更して再度撮像を行い、露光が適当であった場合にはステップ６に移動するようになされている。
【００４０】
ステップ６では、指紋画像３の露光条件１、２で撮像された部分画像から、それぞれの指紋領域を抽出する。さらに、比較判定部１６において抽出された指紋領域データから変化量Ｔが算出され、内部に設定されている閾値Ｏと比較判定が行われる（ステップ７）。ここで、変化量Ｔの算出方法の具体例としては、実施の形態１で具体例として示した分割した各領域内に画像信号があるか否かを判断することによって行う方法がある。ステップ７で算出した変化量Ｔが閾値Ｏを越えている場合には、生体指と判断しステップ９の指紋照合に移行するが、もし変化量Ｔが閾値Ｏ以下であった場合には偽指紋であると判断し、ステップ８においてユーザーに認証の失敗を通知した後、ステップ１に戻り、再度指紋の入力を促すようになされている。
【００４１】
ステップ９では、照合部１７は入力された指紋画像３と、指紋画像データベース８に既に登録されている指紋画像とで照合を行う。照合の結果、指紋が一致しないと判断された場合にはステップ１０に移行しユーザーに対して認証エラーであることを通知する。一方、指紋が一致したと判断された場合には、開錠、システム利用許可、電子承認、などのアクションが行われるようになされている（ステップ１１）。
【００４２】
このように１フレーム内で露光量を変化させて指紋画像を撮像した場合に、その露光量の異なる部分画像の指紋領域の形状変化から生体指を判別することが可能であるため、一回の撮像だけで生体であるか否かの判別と指紋が本人のものであるかの識別が両方行える。よって、実施の形態１と比較してさらに、認証時間の短縮が実現できる。
【００４３】
また、実施の形態１では、画像メモリ１４は２フレ−ム分の画像信号を記憶するスペ−スが必要であったが、本実施の形態では、１フレ−ム分の画像信号を記憶するスペ−スですみ、実施の形態１と比較してさらに、装置の小型化が実現できる。
【００４４】
以上のように、実施の形態１、２の生体指紋認証装置では、被写体情報を検出するセンサーである撮像素子２１及び保護材２２と、露光量を変化させる等の複数の撮像条件を供給する条件供給手段であるＬＥＤ２３及び露光制御部１３と、センサーで複数の撮像条件で検出することにより得られた複数の被写体情報の変化に基づいて検出した被写体情報が生体の情報であるか否か判別する判別手段である画像メモリ１４、画像処理部１５及び比較判定部１６とを有し、複数の被写体情報の変化は、複数の撮像条件の供給に基づいて生じることを特徴とし、さらに、あらかじめ登録されている生体情報が記憶された記憶手段である登録指紋デ−タベ−ス１８と、前記判別手段により生体の情報であると判別された場合に前記記憶手段に記憶された生体情報と前記センサーで検出した被写体情報とを照合する照合手段である指紋照合部１７とを有することにより、精度良く生体指であるか否かの判定が可能となる。
【００４５】
なお、実施の形態１、２では生体か否かを判別するための複数の被写体情報を指紋として説明したが、本発明はこれに限定されるものではなく、例えば手形、顔などの生体の情報であれば同様に適用することができる。
【００４６】
また、実施の形態１、２では、生体情報であるか否かを判別する装置の用途として、本人であるか否かを判定する生体指紋認証装置について説明したが、それ以外の用途に適用しても良い。
【００４７】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００４８】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００４９】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００５１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００５２】
【発明の効果】
本発明の認証装置によれば、適切に生体の情報であるか否かを判別することが可能となる。
【図面の簡単な説明】
【図１】本実施の形態の生体指紋認証装置１０の構成ブロック図である。
【図２】本実施の形態の生体指紋認証装置１０の指紋入力部１２の概略構成図である。
【図３】指紋が撮像される原理を示す図である。
【図４】露光条件１において撮像した指紋画像１である。
【図５】露光条件２において撮像した指紋画像２である。
【図６】紙面に印刷された偽指紋を撮像した偽指紋画像である。
【図７】実施の形態１に示す生体指紋認証装置の一連の処理を示すフローチャートである。
【図８】１フレーム内で露光量を変化させて撮像した指紋画像３である。
【図９】実施の形態２に示す生体指紋認証装置の一連の処理を示すフローチャートである。
【図１０】実施の形態１、２に示す指紋領域の抽出の具体例を説明する図である。
【符号の説明】
１０  生体指紋認証装置
１１  表示部
１２  指紋入力部
１３  露光制御部
１４  画像メモリ
１５  画像処理部
１６  比較判定部
１７  指紋照合部
１８  登録指紋データベース
２１  撮像素子
２２  保護材
２３  照明用ＬＥＤ
【図１】
2004280383.tif 000003
【図２】
2004280383.tif 000004
【図３】
2004280383.tif 000005
【図４】
2004280383.tif 000006
【図５】
2004280383.tif 000007
【図６】
2004280383.tif 000008
【図７】
2004280383.tif 000009
【図８】
2004280383.tif 000010
【図９】
2004280383.tif 000011
【図１０】
2004280383.tif 000012